(57)【要約】【課題】  用紙収容トレイに排紙された用紙の視認性を高めることができる胴内排紙型の画像読取形成装置を提供する。【解決手段】  原稿読取部２を端部に内包する第１筐体１ａと、画像形成部３を内包する第２筐体１ｂと、第１筐体１ａを第２筐体１ｂの上方に空間Ｓを隔てて支持し、画像形成部３にて画像が形成された用紙Ｐを排紙する用紙排紙部４を内包する第３筐体１ｃと、空間Ｓの底部に設けられ、排紙された用紙Ｐを収容する用紙収容トレイ５と、第１筐体１ａの前面に設けられた操作部６と、第１筐体１ａに設けられ、操作部６の上方から用紙収容トレイ５を視認可能とする開口Ｇと、を備える胴内排紙型の画像読取形成装置１００。【選択図】  図２
2006345333.tif 000002
【特許請求の範囲】
【請求項１】
原稿の画像を読み取る原稿読取部を端部に内包する第１筐体と、
前記原稿読取部にて読み取られた画像を用紙に形成する画像形成部を内包する第２筐体と、
前記第１筐体を前記第２筐体の上方に空間を隔てて支持し、前記画像形成部にて画像が形成された用紙を排紙する用紙排紙部を内包する第３筐体と、
前記空間の底部に設けられ、前記用紙排紙部から排紙された用紙を収容する用紙収容トレイと、
前記第１筐体の前面に設けられ、操作入力が行われる操作部と、
前記第１筐体に設けられ、前記操作部の上方から前記用紙収容トレイを視認可能とする視認可能化部と、  
を備えることを特徴とする画像読取形成装置。
【請求項２】
前記原稿読取部が搬送される原稿の画像を読み取る読取位置に原稿を搬送路に沿って搬送した後、該原稿を前記第１筐体の上面に設けられた原稿排紙収容トレイに排紙する自動原稿搬送部を備えることを特徴とする請求項１に記載の画像読取形成装置。
【請求項３】
前記視認可能化部の一部が前記原稿排紙収容トレイに設けられていることを特徴とする請求項２に記載の画像読取形成装置。
【請求項４】
前記視認可能化部が、前記操作部と前記原稿排紙収容トレイとの間に設けられていることを特徴とする請求項２に記載の画像読取形成装置。
【請求項５】
前記視認可能化部が、前記操作部の上方から前記用紙収容トレイに向かう方向に連通して形成された開口であることを特徴とする請求項１から４の何れか１項に記載の画像読取形成装置。
【請求項６】
前記視認可能化部が、前記操作部の上方から前記用紙収容トレイに向かう方向に連通して設けられた透明部材であることを特徴とする請求項１から４の何れか１項に記載の画像読取形成装置。
【請求項７】
前記透明部材が、下方に向かって突出する凸状の底面を有していることを特徴とする請求項６に記載の画像読取形成装置。
【請求項８】
前記第１筐体の下部を構成する下部枠体が、前記第１筐体の天面に設けられた原稿読取面に載置された原稿の画像を前記原稿読取部が移動しながら読み取る画像読取形成装置の下部枠体と共通することを特徴とする請求項１から７の何れか１項に記載の画像読取形成装置。
【発明の詳細な説明】
【技術分野】
【０００１】
本発明は、画像読取形成装置、特に胴内排紙型の画像読取形成装置に関するものである。
【背景技術】
【０００２】
ファクシミリ機能、プリンタ機能、コピー機能、スキャナ機能等の機能を備えた画像読取形成装置においては、原稿の画像を走査してそれを画像データとして読み取る原稿読取部と、読み取った画像データを用紙に転写し画像を形成する画像形成部とを備え、画像が形成された用紙を用紙収容トレイに排紙している。画像読取形成装置の占有面積を小さくするために、原稿読取部の下方に画像形成部を空間を隔てて設け、この胴内の空間の底部に用紙収容トレイを設ける胴内排紙型の画像読取形成装置が提案されている。
【０００３】
従来の胴内排紙型の画像読取形成装置９００においては、図６（ａ）に示すように、操作部９０１に対して操作入力を行なう使用者Ｅの視野は、操作部９０１や原稿読取部を内包する筐体９０２によって遮られるので、用紙収容トレイ９０３に排紙された用紙Ｐが胴内に隠れた状態となる。そのため、使用者Ｅは用紙Ｐを視認するために身体を屈めるなどの動作を行なう必要があり、用紙収容トレイ９０３に排紙された用紙Ｐの視認性が悪かった。
【０００４】
そこで、用紙収容トレイ９０３に排紙された用紙Ｐの視認性を高めるため、図６（ｂ）に示した胴内排紙型の画像読取形成装置９１０のように、操作部９０１の一部９０４を透明部材で形成したり、操作９０１の一部９０４に筒状孔を設ける場合がある。この場合、使用者Ｅは、これら透明部材や筒状孔を介して、用紙収容トレイ９０３に排紙された用紙Ｐを視認することができる（例えば、特許文献１参照。）。
【特許文献１】特開平１１−４３２５３号公報
【発明の開示】
【発明が解決しようとする課題】
【０００５】
しかしながら、図６（ｂ）に示した画像読取形成装置９１０の場合、透明部材や筒状孔を介して、用紙収容トレイ９０３の操作部９０１側の一部しか視認することができない。そのため、特に、用紙サイズの小さな用紙Ｐが用紙収容トレイ９０３上の奥部に排紙された際には、このような用紙Ｐを使用者Ｅは視認することができず、用紙収容トレイ９０３に排紙された用紙Ｐの視認性が劣るという問題があった。また、操作部９０１の一部９０４に透明部材や筒状孔を設けるため、操作部９０１が大型化し、この大型化した操作部９０１によって用紙収容トレイ９０３の操作部９０１側の視認性が悪化するという問題があった。
【０００６】
本発明は、上記した事情や問題に鑑みてなされたものであり、用紙収容トレイに排紙された用紙の視認性を高めることができる胴内排紙型の画像読取形成装置を提供することを目的とする。
【課題を解決するための手段】
【０００７】
当該目的を達成するために、請求項１に記載の画像読取形成装置は、原稿の画像を読み取る原稿読取部を端部に内包する第１筐体と、前記原稿読取部にて読み取られた画像を用紙に形成する画像形成部を内包する第２筐体と、前記第１筐体を前記第２筐体の上方に空間を隔てて支持し、前記画像形成部にて画像が形成された用紙を排紙する用紙排紙部を内包する第３筐体と、前記空間の底部に設けられ、前記用紙排紙部から排紙された用紙を収容する用紙収容トレイと、前記第１筐体の前面に設けられ、操作入力が行われる操作部と、前記第１筐体に設けられ、前記操作部の上方から前記用紙収容トレイを視認可能とする視認可能化部と、を備えることを特徴としている。
【０００８】
請求項２に記載の画像読取形成装置は、請求項１に記載の画像読取形成装置において、前記原稿読取部が搬送される原稿の画像を読み取る読取位置に原稿を搬送路に沿って搬送した後、該原稿を前記第１筐体の上面に設けられた原稿排紙収容トレイに排紙する自動原稿搬送部を備えることを特徴としている。
【０００９】
請求項３に記載の画像読取形成装置は、請求項２に記載の画像読取形成装置において、前記視認可能化部の一部が前記原稿排紙収容トレイに設けられていることを特徴としている。
【００１０】
請求項４に記載の画像読取形成装置は、請求項２に記載の画像読取形成装置において、前記視認可能化部が、前記操作部と前記原稿排紙収容トレイとの間に設けられていることを特徴としている。
【００１１】
請求項５に記載の画像読取形成装置は、請求項１から４の何れか１項に記載の画像読取形成装置において、前記視認可能化部が、前記操作部の上方から前記用紙収容トレイに向かう方向に連通して形成された開口であることを特徴としている。
【００１２】
請求項６に記載の画像読取形成装置は、請求項１から５の何れか１項に記載の画像読取形成装置において、前記視認可能化部が、前記操作部の上方から前記用紙収容トレイに向かう方向に連通して設けられた透明部材であることを特徴としている。
【００１３】
請求項７に記載の画像読取形成装置は、請求項６に記載の画像読取形成装置において、前記透明部材が、下方に向かって突出する凸状の底面を有していることを特徴としている。
【００１４】
請求項８に記載の画像読取形成装置は、請求項１から７の何れか１項に記載の画像読取形成装置において、前記第１筐体の下部を構成する下部枠体が、前記第１筐体の天面に設けられた原稿読取面に載置された原稿の画像を前記原稿読取部が移動しながら読み取る画像読取形成装置の下部枠体と共通することを特徴としている。
【発明の効果】
【００１５】
請求項１に記載の画像読取形成装置によれば、使用者は、視認可能化部によって、操作部上方から用紙収容トレイを視認することができる。そして、この視認可能化部は、操作部を前面に設けた第１筐体に設けられているので、前記従来の画像読取形成装置９１０に比べて、用紙収容トレイのより奥部を視認することができる。そのため、用紙サイズの小さな用紙が用紙収容トレイの奥部に排紙された場合であっても、このような用紙を視認することが可能になるので、用紙収容トレイに排紙された用紙の視認性を高めることができる。また、原稿読取部が内包されている端部を除きスペース的に余裕のある第１筐体に視認可能化部を設けているので、第１筐体を含めた装置全体の大型化による視認性の悪化を伴うことなく、用紙収容トレイに排紙された用紙の視認性を高めることができる。
【００１６】
請求項２に記載の画像読取形成装置によれば、自動原稿搬送部を備えているので、自動的に連続して搬送される原稿の画像が読み取られ、該画像が形成された用紙が用紙収容トレイに連続して排紙される。この際、用紙に誤った画像が形成されて排紙された場合や、用紙切れ、紙詰りなどによる排紙不良が発生した場合、使用者が視認可能部によって早く気付くことが可能であるので、作業効率を高めることができる。
【００１７】
請求項３に記載の画像読取形成装置によれば、第１筐体の上面に設けられた原稿排紙収容トレイに視認可能化部の一部が設けられているので、該画像読取形成装置の占有面積を大きくすることなく、用紙収容トレイに排紙された用紙の視認性を高めることができる。
【００１８】
請求項４に記載の画像読取形成装置によれば、操作部と原稿排紙収容トレイとの間に視認可能化部が設けられているので、原稿排紙収容トレイに原稿が収容されている場合であっても、用紙収容トレイに排紙された用紙を視認することができる。
【００１９】
請求項５に記載の画像読取形成装置によれば、視認可能化部が開口であるので、部材を追加することなく視認可能化部を設けることができるため、製造コストを抑えることができる。
【００２０】
請求項６に記載の画像読取形成装置によれば、原稿排紙収容トレイなどの構成部材が果たす役割を害するために、該構成部材に開口を設けることができない場合であっても、視認可能化部を透明部材とすることにより、このような構成部材に視認可能化部を設けることが可能となる、あるいは、視認可能な範囲を広げることが可能となる。
【００２１】
請求項７に記載の画像読取形成装置によれば、透明部材が下方に向かって突出する凸状の底面を有しているので、視認可能な範囲を広げることができる。
【００２２】
請求項８に記載の画像読取形成装置によれば、該画像読取形成装置と、原稿読取部が移動しながら載置された原稿を読み取る画像読取形成装置との下部枠体とが共通であるので、金型作成費等の製造コストを削減することができる。
【発明を実施するための最良の形態】
【００２３】
以下、本発明の実施の形態に係る画像読取形成装置について図面に基づき説明する。図１に概略外観斜視図を示した複合機１００は、この画像読取形成装置を適用したファクシミリ機能、プリンタ機能、コピー機能、スキャナ機能等を有する複合機である。複合機１００は、図２に示すように、装置本体筐体１に原稿読取部２と画像形成部３とが胴内の空間Ｓを隔てて内包され、空間Ｓの底部に用紙排紙部４から排紙される用紙Ｐが収容される用紙収容トレイ５を設けた胴内排紙型の複合機である。そして、装置本体筐体１の前面に操作部６が設けられており、該操作部６に対して操作入力を行なう使用者Ｅは、視認可能化部である開口Ｇを介して操作部６の上方から用紙収容トレイ５の奥部を視認することができる。複合機１００は、さらに、用紙供給部７、自動原稿供給部８をも備えている。なお、図１及び図３に示すように、前面側とは複合機１００における操作部６が位置する側を意味し、奥側とは複合機１００における操作部６が位置する側の反対側を意味し、図１及び図２に示すように、右及び左とは前方から複合機１００に向かってそれぞれ右、左を意味するものとする。
【００２４】
装置本体筐体１は、図２に示すように、複合機１００の装置本体各部を内包するハウジングであり、原稿読取部２を左側端部に内包する箱体状の第１筐体１ａと、画像形成部３及び用紙供給部７を内包する箱体状の第２筐体１ｂと、第２筐体１ｂの上方に空間Ｓを隔てて第１筐体１ａを支持し、用紙排紙部４を内包する第３筐体１ｃと、からなり、それぞれ板金を折曲加工等して形成したものや、装置全体の軽量化等や組付作業の簡略化を目的として、合成樹脂からなる成形品である。第１筐体１ａは、下面が開放された箱体状の上部枠体１ａ１と、上面が開放された箱体状の下部枠体１ａ２とがビス等の固定具（不図示）により固定されたものである。第３筐体１ｃは、空間Ｓの右側に位置して用紙排紙部４を内包する箱体状の支持部と、空間Ｓの奥側に位置する箱体状の支持部（図３参照）とが、Ｌ字状に一体化されたものである。そして、空間Ｓは、その上方を原稿読取部２を内包する第１筐体１ａに、その下方を画像形成部３を内包する第２筐体１ｂに、その右方及び奥方を第３筐体１ｃに、それぞれ遮られることにより装置本体筐体１の胴内に形成されたものである。空間Ｓは、装置本体筐体１の前面側及び左面側から開口Ｔを介して外部に向かって開放されている。なお、下部枠体１ａ２、第２筐体１ｂ、第３筐体１ｃは、これらの何れか、もしくは全てが一体化されて構成されるものであってもよい。
【００２５】
原稿読取部２は、図２に示すように、搬送される原稿Ｑの画像を画像データとして読み取る固定式の読取デバイス１０を有する部分であり、空間Ｓの直上にて第１筐体１ａの左側端部に内包されて設けられている。ここで、読取デバイス１０は、搬送される原稿Ｑの画像を走査ライン毎に画像データとして読み取る装置であって、コピー機やファクシミリ装置等において一般的に用いられるものを使用することができ、具体的には、ＣＣＤを用いた電荷結合形イメージセンサ、あるいは密着形イメージセンサ等を使用することができる。この読取デバイス１０は、自動原稿供給部８により搬送される原稿Ｑの画像を読み取るために、原稿Ｑの読み取り面であるプラテンガラス１１の下方に配置されている。読取デバイス１０は、搬送されてくる原稿Ｑがプラテンガラス１１の上部近傍の読取位置Ｒを通過する際に、その画像を走査ライン毎に画像データとして下方から読み取る。
【００２６】
画像形成部３は、原稿読取部２にて読み取られた画像データやファクシミリ受信した画像データ等の画像を、用紙供給部７から搬送された用紙Ｐに形成する部分であり、空間Ｓの直下にて第２筐体１ｂに内包されて設けられている。画像形成部３は、その画像形成方式として電子写真方式を用いており、感光体ドラム１２を含む電子写真方式の各種機構を有して構成されている。なお、画像形成部３の画像形成方式としては、これに限定されるものではなく、例えば、インクジェット記録方式や感熱記録方式等のこの分野で公知の各種の記録方式を用いることができる。画像形成部３にて画像が形成された用紙Ｐは、複数の搬送ローラ１３によって用紙排紙部４に搬送される。
【００２７】
用紙排紙部４は、画像形成部３にて画像が形成された用紙Ｐを排紙する部分であり、第３筐体１ｃに内包されて設けられている。用紙排紙部４は、画像形成部３から複数の搬送ローラ１３によって搬送されてきた用紙Ｐを排紙口１４から排紙する排紙ローラ１５を含む排紙機構を備えている。用紙Ｐは、奥側基準にて、即ち、排紙口１４の奥側端部付近の基準位置を用紙Ｐの奥側の端辺が通るようにして、用紙排紙部４から排紙される。
【００２８】
用紙収容トレイ５は、用紙排紙部４から排紙された用紙Ｐを収容するものであり、空間Ｓの底部に設けられている。ここでは、用紙収容トレイ５は、空間Ｓの底部を構成する第２筐体１ｂの上面に、当該第２筐体１ｂと一体化されて形成されている。用紙収容トレイ５の上面は、排紙口１４の下方から用紙Ｐが排紙される方向に向けて（図中矢印Ｘ方向、装置右側から左側方向）上方へ傾斜するように形成されている。用紙Ｐは、用紙排紙部４から奥側基準にて排紙され、その用紙サイズに関わりなく、用紙収容トレイ５の上面の奥方に用紙Ｐの奥側の端辺が略揃って順次堆積される。
【００２９】
操作部６は、図３に示すように、使用者Ｅが複合機１００に対する動作指示や設定等の操作入力を行なう部分であり、原稿読取部２（図２参照）の前方に位置するように、該原稿読取部２を内包する第１筐体１ａの前面に設けられている。操作部６は、用紙Ｐへの画像形成開始や原稿Ｑの読み取り開始等の動作指示や設定等を入力するための入力キーや液晶表示パネル等（不図示）が配設された操作パネル１６を、その上面に備えている。なお、操作部６は、その筐体が第１筐体１ａと一体化されて形成されていてもよい。
【００３０】
用紙供給部７は、図２に示すように、所定サイズの用紙Ｐを収納するとともに、その用紙Ｐを画像形成部３に供給する部分であり、画像形成部３の直下にて第２筐体１ｂに内包されて設けられている。用紙供給部７は、用紙Ｐを収納する複数段からなる用紙カセット１７と、この用紙カセット１７から用紙Ｐを１枚分離して取り出すピックアップローラ１８と、用紙Ｐを画像形成部３に搬送する複数の搬送ローラ１９とを有して構成されている。
【００３１】
自動原稿供給部８は、前記読取デバイス１０による読取位置Ｒに原稿Ｑを自動的に搬送する部分であり、原稿読取部２を内包する第１筐体１ａの上方に設けられている。自動原稿供給部８は、読み取り前の原稿Ｑが載置される原稿給紙トレイ２０と、画像が読み取られた原稿Ｑが収容される原稿排紙収容トレイ２１と、原稿給紙トレイ２０上に載置された原稿Ｑを１枚ずつ分離して搬送路２２に沿って読取位置Ｒに搬送する搬送ローラ２３等の搬送機構と、読取位置Ｒにて画像が読み取られた原稿Ｑを原稿排紙収容トレイ２１に排紙する排紙ローラ２４等の原稿排紙機構と、を備えている。原稿給紙トレイ２０は、第１筐体１ａの上方に、原稿Ｑを供給する方向へ傾斜させて設けられており、その上面において複数枚の原稿Ｑを積重状態で担持するようになっている。図１に示すように、原稿給紙トレイ２０には、原稿Ｑの幅方向の位置を規制して原稿Ｑの斜め送りを防止する可変式のガイドが設けられている。また、原稿排紙収容トレイ２１の前側右部には、使用者Ｅが開口Ｇを介して用紙収容トレイ５の奥部が視認する際の妨げとならないように、切欠きが形成されている。なお、原稿排紙収容トレイ２１の前側右部を透明な材質からなるものとしてもよい。一方、原稿排紙収容トレイ２１は原稿給紙トレイ２０と上下２段となるように第１筐体１ａの上方に設けられており、ここでは、上部枠体１ａ１の上面に一体化されて形成されている。
【００３２】
開口Ｇは、図２及び図３に示すように、操作部６の上方から用紙収容トレイ５の奥部に向かう方向に連通して第１筐体１ａに形成されている。開口Ｇは、図２に示すように、上部枠体１ａ１の上面壁及びこれと一体化された原稿排紙収容トレイ２１を上下方向に貫通して設けられた上部開口Ｇ１と、下部枠体１ａ２の下面壁を上下方向に貫通して設けられた下部開口Ｇ２と、からなるものである。上部開口Ｇ１と下部開口Ｇ２とは、図３にこれらを連通した孔として開口Ｇを模式的に示すように、使用者Ｅが操作部６の上方から用紙収容トレイ５の奥部を見下ろすことに適した角度に傾斜して連通するように設けられている。なお、図示しないが、上部開口Ｇ１や下部開口Ｇ２に、合成樹脂やガラスなどからなる透明な部材を嵌め込み等により取付けてもよい。また、上部開口Ｇ１や下部開口Ｇ２を含む部分の第１筐体１ａや用紙収容トレイ５を、合成樹脂やガラスなどの透明な材質からなるものとしてもよい。
【００３３】
このように、開口Ｇを複合機１００に設けることによって、図３に示すように、操作部６から操作入力等を行なう使用者Ｅは、開口Ｇを介して、体を屈める等の動作を必要とせず、空間Ｓの奥方を視認することができるので、用紙収容トレイ５に排紙された用紙Ｐの視認性を高めることができる。開口Ｇは、操作部６より奥方に位置する原稿排紙収容トレイ２１にその上面を有して設けられているので、図６（ｂ）に示した場合に比べて、用紙収容トレイ５のより奥方に排紙された用紙Ｐを視認することができる。また、開口Ｇは、原稿読取部２を左側端部に内包する第１筐体１ａに設けられており、この第１筐体１ａの内部は、原稿読取部２の他に電力線や制御線などの配線等が配設されている部分を除き、ほとんど空洞となっている。そのため、第１筐体１ａを大型化することなく、開口Ｇを用紙収容トレイ５の奥部を見るに適した部位に設けることが可能であるとともに、この開口Ｇの開口面積を広く確保し、広範囲を視認可能とすることが可能であるので、使用者Ｅは、その立ち位置や体格等が異なる場合であっても、開口Ｇを介して用紙収容トレイ５の奥部の様子を視認することができ、用紙収容トレイ５に排紙された用紙Ｐの視認性を高めることができる。
【００３４】
また、開口Ｇは、図２に示すように、用紙収容トレイ５の排紙口１４の近傍の奥部を視認することができる位置に設けられている。これにより、用紙収容トレイ５に堆積された用紙Ｐの用紙サイズが小さな場合であっても、排紙された用紙Ｐを確実に視認することができる。
【００３５】
以上、本発明の第１の実施の形態に係る複合機１００について説明したが、これに限られるものではない。例えば、図４（ａ）に示すように、開口Ｇに、その中央部が下方に向かって突出する凸状の滑らかな曲面状の底面（凸状下面）を有する透明部材Ｈを設けてもよい。これにより、開口Ｇ内の空間に部材が存在しない場合や、その開口Ｇの開口形状に合わせた透明部材を備える場合に比べて、使用者Ｅが視認可能な範囲を拡大することができる。そのため、使用者Ｅの立ち位置や体格等が異なる場合であっても、開口Ｇを介して、用紙収容トレイ５の奥部を視認することができる。また、用紙Ｐの用紙サイズや排紙口１４の状態も視認することが可能になる。また、開口Ｇを小さくすることも可能となる。
【００３６】
また、図４（ｂ）に示すように、操作部６と原稿排紙トレイ２１との間の中間部２５にスペース的な余裕がある場合には、この中間部２５に上面を有する開口Ｇ´を第１筐体１ａ´に設けてもよい。また、図示しないが、原稿排紙トレイ２１と中間部２５の双方に渡るように、開口を設けてもよい。
【００３７】
なお、本発明の実施の形態に係る画像読取形成装置を適用した複合機１００は、自動原稿供給部８により搬送される原稿Ｑの画像を固定式の読取デバイス１０が読み取るものである。しかしながら、原稿読取部２やこれを内包する第１筐体１ａの上部枠体１ａ１などを置き換えることにより、フラット・ベッド・スキャナ（以下、「ＦＢＳ」という。）をも備えたＭＦＰ（Multi Function Peripheral）装置としての複合機とすることが可能である。
【００３８】
このようなＦＢＳを備えた複合機として図５に示した複合機２００においては、上部枠体１ａ１´と前記下部枠体１ａ２とからなる第１筐体１ａ´に、水平方向に移動可能に設けられた読取デバイス１０´を有する原稿読取部２´が内包して設けられている。原稿読取部２´は、上部枠体１ａ１´の天面に前記プラテンガラス１１に隣接するプラテンガラス３１を原稿読取面として備えており、該プラテンガラス３１上に載置された原稿（不図示）をプラテンガラス３１に押圧する原稿押圧板３２が、自動原稿搬送部８を有して第１筐体１ａ´の上面に対して開閉可能に設けられている。そして、この原稿押圧板３２の上方に前記原稿排紙収容トレイ２１が設けられている。このような複合機２００において、読取デバイス１０´はプラテンガラス３１の下方において水平方向に移動しつつ、このプラテンガラス３１上に載置され原稿押圧板３２に押えられる原稿の画像を読み取る。
【００３９】
このように、複合機１００の第１筐体１ａの下部枠体１ａ２は、ＦＢＳを備えた複合機複合機２００と共通に用いることが可能である。そのため、複合機１００、２００との下部枠体１ａ２として、同一の金型によって成形される樹脂成形品を用いることにより、金型作成費等の製造コストを削減することができる。また、複合機１００、２００間の改造コストを削減することができる。
【００４０】
なお、本発明に係る画像読取形成装置は、本発明の実施の形態として示した複合機１００に適用されるものに限定されるものではなく、本発明の要旨を逸脱しない範囲内で適宜設計変更できることは勿論である。例えば、ファクシミリ単体機や、ファクシミリ機能とプリンタ機能を備えた複合機等であってもよい。また、用紙Ｐが用紙排紙部４から奥側基準にて排紙されることには限定されず、例えば、用紙Ｐが用紙排紙部４からセンター基準にて排紙され、用紙収容トレイ５の上面の奥行き方向略中央部に用紙Ｐの幅方向の中心線が略揃って順次堆積される画像読取形成装置に適用してもよい。この場合には、用紙収容トレイ５の排紙口１４の近傍の奥行き方向略中央部を視認することができる位置に開口Ｇを設けることが好ましい。
【図面の簡単な説明】
【００４１】
【図１】本発明の実施の形態に係る画像読取形成装置を適用した複合機１００を示す概略外観斜視図である。
【図２】複合機１００の図１に示したＡ−Ａ断面における構成を示す概略構成断面図である。
【図３】複合機１００の図１に示したＢ−Ｂ断面における模式断面図である。
【図４】（ａ）、（ｂ）は、それぞれ実施の形態の変形に係る画像読取形成装置を適用した複合機を示す模式部分断面図である。
【図５】ＦＢＳを備えた複合機２００の構成を示す概略構成断面である。
【図６】（ａ）、（ｂ）は、それぞれ従来の画像読取形成装置９００、９１０を示す模式部分断面図である。
【符号の説明】
【００４２】
１  装置本体筐体
１ａ  第１筐体
１ａ２  下部枠体
１ｂ  第２筐体
１ｃ  第３筐体
２  原稿読取部
３  画像形成部
４  用紙排紙部
５  用紙収容トレイ
６  操作部
２１  原稿排紙収容トレイ
１００、２００  複合機（画像読取形成装置）
Ｇ  開口（視認可能化部）
Ｈ  透明部材
Ｐ  用紙
Ｑ  原稿
【図１】
2006345333.tif 000003
【図２】
2006345333.tif 000004
【図３】
2006345333.tif 000005
【図４】
2006345333.tif 000006
【図５】
2006345333.tif 000007
【図６】
2006345333.tif 000008